(57)【特許請求の範囲】
【請求項１】
カラオケ演奏端末において、予め利用者の嗜好に応じて設定された歌唱音声及び演奏音楽の出力条件に従ってカラオケ演奏を行うことが可能なカラオケ演奏出力システムであって、
利用者管理手段と、利用者別出力条件管理手段と、利用者別出力条件有効化設定手段と、出力条件選択手段と、出力制御手段と、を備え、
前記利用者管理手段は、前記カラオケ演奏端末を利用する利用者を特定して、利用者管理テーブルにて管理し、
前記利用者別出力条件管理手段は、前記特定された任意の利用者が、すべての楽曲に共通の設定、楽曲毎の設定、所定のカテゴリに応じて分類された楽曲のジャンル毎の設定の中から選択した少なくとも１つの出力条件を、利用者別出力条件設定データベースにて管理し、
前記利用者別出力条件有効化設定手段は、前記利用者別出力条件設定データベースにて管理されている任意の利用者の利用者別出力条件を、それぞれ有効化するか否かを利用者毎に設定し、
前記出力条件選択手段は、任意の利用者が選曲した楽曲が演奏される際に、前記利用者別出力条件を有効化する設定がなされている場合には、設定された利用者別出力条件を予め定めた所定の優先順位に基づいて選択し、前記利用者別出力条件を有効化する設定がなされていない場合には、デフォルトの出力条件を選択し、
前記出力制御手段は、前記選択された出力条件に従って、歌唱音声及び演奏音楽を出力させる、
ことを特徴とするカラオケ演奏出力システム。
【発明の詳細な説明】
【技術分野】
【０００１】
本発明は、予め利用者の嗜好に応じて設定された歌唱音声及び演奏音楽の出力条件に従って、カラオケ演奏を行うことが可能なカラオケ演奏出力システムに関するものである。
【背景技術】
【０００２】
現在普及しているカラオケ演奏装置は、マイクボリューム、エコーレベル、ミュージックボリューム、テンポ等の種々の出力条件を、利用者の好みに合わせて設定することができるようになっている。出力条件の設定は、選曲予約時あるいは楽曲の演奏が開始された後に行われる。例えば、デフォルト値に対する音程（キー）を設定して選曲予約を行うことができ、演奏開始後には、各種のボリュームやテンポを設定することができる。
【０００３】
このようにして設定された出力条件は、各利用者の好みに合わせたものであり、必ずしも他の利用者の好みにあったものとは言えない場合がある。そこで、従来のカラオケ演奏装置では、各利用者が自らの好みに応じて設定した出力条件をデフォルトの状態に戻すための技術が開発されている。なお、一般的なカラオケ装置において、音程（キー）の設定は楽曲毎に予めデフォルト値が決まっており、利用者が何ら操作を行わない状態では、デフォルト設定の音程（キー）が使用されるようになっている。
【０００４】
利用者により設定変更された演奏条件（出力条件）をデフォルト設定に戻す技術として、例えば、特許文献１には、利用者毎に所望が異なる演奏条件については楽曲の演奏開始時あるいは終了時に初期化し、頻繁に変更することがない演奏条件については初期化しないようにすることが可能なカラオケ演奏装置に関する技術が開示されている。この特許文献１に記載された技術は、種々の演奏条件を設定するための演奏条件設定手段と、種々の演奏条件に従って楽曲の再生を行う再生手段と、種々の演奏条件を初期化するか否かを、それぞれの演奏条件に関して設定する初期化設定手段と、初期化設定手段の設定に基づいて、一曲の楽曲の再生開始時あるいは終了時に演奏条件の初期化を行う初期化手段と、を備えることにより、演奏条件に関する設定の手間を省くことができるとしている。
【先行技術文献】
【特許文献】
【０００５】
【特許文献１】特許第３０９２３５４号公報
【発明の概要】
【発明が解決しようとする課題】
【０００６】
ところで、上述したように、出力条件に関する設定は、利用者毎に異なることが一般的であり、そのために、マイクボリューム、エコーレベル、ミュージックボリューム、テンポ等の種々の出力条件を、利用者の好みに合わせて設定することができるようになっている。そこで、利用者が歌唱を行う都度、複数ある出力条件をいちいち設定するのは面倒であり、設定の手間を省こうとしたのが、特許文献１に記載された技術である。
【０００７】
しかし、利用者の好みは多種多様であり、出力条件に関する設定は利用者毎に異なるのが当然とも言える。したがって、特許文献１に記載された技術のように、出力条件について頻繁に変更されるか否かを判断して初期化設定を行ったとしても、すべての利用者の好みを満足させることはできないのが現状である。
【０００８】
このような利用者毎の出力条件に関する好みは、すべての楽曲について共通の場合もあるが、特定の楽曲や特定のジャンルについては、通常の設定とは異なるものとしたい場合もある。この点についても、従来の技術では解決することができなかった。
【０００９】
本発明は、上述した事情に鑑み提案されたもので、利用者毎に嗜好が異なる出力条件について、その設定変更の手間を省くことにより、カラオケ楽曲の歌唱に専念することができるカラオケ演奏出力システムを提供することを目的とする。
【課題を解決するための手段】
【００１０】
本発明のカラオケ演奏出力システムは、上述した目的を達成するため、以下の特徴点を有している。すなわち、本発明のカラオケ演奏出力システムは、予め利用者の嗜好に応じて設定された歌唱音声及び演奏音楽の出力条件に従ってカラオケ演奏を行うことが可能なカラオケ演奏出力システムであって、利用者管理手段と、利用者別出力条件管理手段と、利用者別出力条件有効化設定手段と、出力条件選択手段と、出力制御手段と、を備たことを特徴とするものである。
【００１１】
ここで、利用者管理手段は、カラオケ演奏端末を利用する利用者を特定して、利用者管理テーブルにて管理するための手段である。利用者別出力条件管理手段は、特定された任意の利用者が任意に設定した出力条件を利用者別出力条件設定データベースにて管理するための手段である。利用者別出力条件有効化設定手段は、利用者別出力条件設定データベースにて管理されている任意の利用者の利用者別出力条件を有効化するか否かを利用者毎に設定するための手段である。出力条件選択手段は、任意の利用者が選曲した楽曲が演奏される際に、利用者別出力条件を有効化する設定がなされている場合には、設定された利用者別出力条件を選択し、利用者別出力条件を有効化する設定がなされていない場合には、デフォルトの出力条件を選択するための手段である。出力制御手段は、選択された出力条件に従って、歌唱音声及び演奏音楽を出力させるための手段である。
【００１２】
このような構成からなるカラオケ演奏出力システムでは、利用者管理手段により、ＩＤ媒体等から取得された利用者ＩＤに基づき利用者を特定して管理する。また、利用者別出力条件管理手段により、各利用者が所望する出力条件を利用者別に管理する。さらに、利用者別出力条件有効化設定手段により、各利用者に対応して管理されている出力条件を有効化するか否かを利用者毎に設定する。そして、出力条件選択手段により、利用者別の出力条件あるいはデフォルトの出力条件が選択され、出力制御手段により、選択された出力条件に従って、歌唱音声及び演奏音楽を出力させる。なお、出力条件とは、例えば、マイクボリューム、エコーレベル、ミュージックボリューム、テンポ、音程（キー）、高音及び低音のバランス等のことである。
【００１３】
さらに、利用者別出力条件管理手段における利用者別出力条件の管理では、すべての楽曲に共通の設定、楽曲毎の設定、所定のカテゴリに応じて分類された楽曲のジャンル毎の設定の中から選択した少なくとも１つの出力条件を設定する。また、利用者別出力条件有効化設定手段は、すべての楽曲に共通の設定、楽曲毎の設定、所定のカテゴリに応じて分類された楽曲のジャンル毎の設定の中から選択した出力条件について、それぞれ有効化するか否かを設定可能である。そして、出力条件選択手段は利用者別出力条件を有効化する設定がなされている場合には、予め定めた所定の優先順位に基づいて利用者別出力条件を選択する。
【００１４】
このような構成からなるカラオケ演奏出力システムでは、楽曲毎あるいはジャンル毎に設定された出力条件を用いて楽曲の演奏が行われる。例えば、自らが得意とする楽曲については、マイクボリュームを大きく設定する一方、得意ではない楽曲についてはミュージックボリュームを大きく設定する。また、演歌についてはエコーレベルを大きく設定し、Ｊ−ＰＯＰについては、低音及び高音を強調するように設定する。
【発明の効果】
【００１５】
本発明のカラオケ演奏出力システムでは、各利用者の嗜好に応じた出力条件の設定を利用者別に管理するとともに、利用者毎に出力条件の設定を有効化するか否かを設定することができる。したがって、利用者毎に設定された出力条件を有効化した場合には、カラオケ楽曲の歌唱に際して、いちいち、各利用者の嗜好を反映した出力条件の設定を行う必要がないため、利用者は歌唱に専念することができ、さらに、演奏は利用者の嗜好に応じたものであるため、カラオケ演奏装置を用いた歌唱の楽しさを十分に味わうことができる。
【００１６】
また、マイクボリューム、エコーレベル、ミュージックボリューム、テンポ、音程（キー）、高音及び低音のバランス等に関する嗜好は、楽曲毎、あるいはジャンル毎に異なるのが一般的である。そこで、楽曲毎、あるいはジャンル毎に出力条件を設定変更可能とした場合には、歌唱を行う利用者の嗜好に対して、さらに好適に対応したカラオケ演奏を行うことが可能となる。一方、デフォルトの設定でかまわない楽曲あるいはジャンルの場合には、楽曲毎、あるいはジャンル毎に設定された出力条件を有効化させなければよく、利用者の所望をより一層適切に反映したカラオケ演奏を行うことができる。
【図面の簡単な説明】
【００１７】
【図１】本発明の実施形態に係るカラオケ演奏出力システムを含むカラオケシステムの概略構成を示すブロック図。
【図２】本発明の実施形態に係るカラオケ演奏出力システムを適用するカラオケ演奏端末の概略構成を示すブロック図。
【図３】利用者別出力条件設定データベースの構成を示す説明図。
【図４】利用者別有効化フラグ設定テーブルの構成を示す説明図。
【図５】本発明の実施形態に係るカラオケ演奏出力システムにおける出力条件の選択を示すフローチャート。
【図６】本発明の実施形態に係るカラオケ演奏端末における選曲画面の模式図。
【発明を実施するための形態】
【００１８】
＜基本構成＞
以下、図面を参照して、本発明のカラオケ演奏出力システムの実施形態について説明する。図１は本発明の実施形態に係るカラオケ演奏出力システムを含むカラオケシステムの概略構成を示すブロック図、図２は本発明の実施形態に係るカラオケ演奏出力システムを適用するカラオケ演奏端末の概略構成を示すブロック図である。また、図３は利用者別出力条件設定データベースの構成を示す説明図、図４は利用者別有効化フラグ設定テーブルの構成を示す説明図である。
【００１９】
本発明の実施形態に係るカラオケ演奏出力システムを含むカラオケシステムは、図１に示すように、通信ネットワーク１２を介して相互に接続されたホスト装置１１と複数のカラオケ演奏端末１０と、を備えている。通信ネットワーク１２は、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネットにより構成されるＶＰＮを利用することが好ましい。
【００２０】
＜ホスト装置＞
ホスト装置１１は、図１に示すように、制御手段５１、データ処理手段５２、顧客データベース５３、利用者別出力条件設定データベース５４、送受信部５５を備えている。
【００２１】
＜制御手段／送受信部＞
制御手段５１は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。送受信部５５は、各カラオケ演奏端末１０との間でデータの送受信を行うための手段であり、通信ネットワーク１２における通信方式の整合性を保つための通信回路やソフトウェアにより構成される。
【００２２】
＜データ処理手段／顧客データベース＞
データ処理手段５２は、顧客データベース５３及び利用者別出力条件設定データベース５４にアクセスして、データの抽出、変更、追加を処理するためのプログラムからなる。顧客データベース５３は、利用者毎に利用者情報が登録されたデータベースである。この顧客データベース５３は、図示しないが、利用者毎に、利用者ＩＤ、氏名、セカンドネーム（例えば愛称）、住所、生年月日、性別、職業等が関連付けて構成されている。
【００２３】
＜利用者別出力条件設定データベース＞
利用者別出力条件設定データベース５４は、利用者別出力条件管理手段３８により管理されるデータベースであり、図３に示すように、利用者ＩＤと、各利用者が個別に設定した出力条件とを紐付けして構成されている。図３に示す例では、マイクボリューム、エコーレベル、ミュージックボリューム、テンポ、音程（キー）、高音及び低音のバランス、コーラスパターンが出力条件となっているが、出力条件は、これらに限られず、どのような条件を設定対象としてもよい。また、出力条件の設定として、共通設定、ジャンル毎設定、楽曲毎設定を行うことができるようになっているが、いずれか１つ以上の出力条件を設定できればよい。
＜カラオケ演奏端末＞
本発明の実施形態に係るカラオケ演奏端末１０は、図２に示すように、カラオケ本体２１、カラオケリモコン装置２２、スピーカ２３、マイクロホン２４、ディスプレイ装置２５、ミキシングアンプ２６、エフェクタ２７を備えている。
【００２４】
＜カラオケ本体＞
カラオケ本体２１は、中央制御手段３１、ＲＯＭ３２、ＲＡＭ３３、ＨＤＤ３４、ネットワーク送受信手段３５、ローカル送受信手段３６、利用者管理手段３７、利用者別出力条件管理手段３８、利用者別出力条件有効化設定手段３９、出力条件選択手段４０、予約管理手段４１、音楽再生制御手段４２、出力制御手段４３、映像再生制御手段４４を備えている。
【００２５】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００２６】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａ、利用者管理テーブル３３ｂ、利用者別出力条件設定データ３３ｃ、利用者別有効化フラグ設定テーブル３３ｄが記憶されるようになっている。
【００２７】
予約待ち行列３３ａは、予約管理手段４１により管理されるデータである。利用者管理テーブル３３ｂは、利用者管理手段３７により管理されるデータテーブルである。利用者別出力条件設定データ３３ｃは、カラオケ演奏端末１０がホスト装置１１との間で通信を行い、利用者別出力条件設定データベース５４から受信したデータである。利用者別有効化フラグ設定テーブル３３ｄは、利用者別出力条件有効化設定手段３９により作成されるデータテーブルである。
【００２８】
＜ＨＤＤ＞
ＨＤＤ３４は、大容量記憶装置として機能するもので、楽曲データベース３４ａ及び映像データベース３４ｂが格納されている。なお、ＨＤＤ３４に替えて、あるいはＨＤＤ３４とともに、データを書き替え可能なＤＶＤ等の大容量記憶装置を用いてもよい。
【００２９】
楽曲データベース３４ａは、演奏データ（ＭＩＤＩ（登録商標）データ）及び歌詞描出データが同期されて構成される楽曲データについて、楽曲ＩＤと対応付けてそれぞれ格納したデータベースである。演奏データは各楽曲の演奏データをデジタル化したものであり、歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。
【００３０】
＜送受信手段＞
ネットワーク送受信手段３５は、ホスト装置１１とカラオケ本体２１との間で、データの送受信を行うための電子回路及びプログラムからなる。また、ローカル送受信手段３６は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００３１】
＜利用者管理手段＞
利用者管理手段３７は、カラオケ演奏端末１０を利用する利用者を特定して、利用者管理テーブル３３ｂにて管理するためのプログラムからなる。すなわち、利用者管理手段３７では、カードリーダ２２ｃにより利用者ＩＤが取得された場合に、この利用者ＩＤに基づいて利用者を特定し、利用者管理テーブル３３ｂを作成して管理する。この際、顧客データベース５３から当該利用者の属性情報等を取得し、利用者管理テーブル３３ｂの構成データとしてもよい。取得した利用者ＩＤは、選曲予約や利用者別出力条件を設定する際に利用される。
【００３２】
なお、ホスト装置１１において、顧客データベース５３に登録されていない利用者については、仮の利用者ＩＤを発行するとともに、この利用者ＩＤに紐付けして、利用者属性情報を入力するような構成としてもよい。利用者属性情報の入力は、例えばカラオケリモコン装置２２の入力機能を用いて行われる。
【００３３】
＜利用者管理テーブル＞
利用者管理テーブル３３ｂは、利用者管理手段３７により管理されるデータテーブルであり、図示しないが、例えば、カードリーダ２２ｃで取得した利用者ＩＤと、顧客データベース５３から取得した当該利用者の属性情報とを紐付けしたデータ構造を有している。
【００３４】
＜利用者別出力条件管理手段＞
利用者別出力条件管理手段３８は、利用者ＩＤにより特定された任意の利用者が任意に設定した出力条件を利用者別出力条件設定データベース５４にて管理するためのプログラムからなる。例えば、任意の利用者が、カラオケリモコン装置２２の入出力インターフェースを用いて、出力条件であるマイクボリューム、エコーレベル、ミュージックボリューム、テンポ、音程（キー）、高音及び低音のバランス、コーラスパターンについて、自らの嗜好に応じた設定を行うと、利用者別出力条件管理手段３８の機能により、当該設定された出力条件に基づいて利用者別出力条件設定データベース５４を作成する。この際、各項目の出力条件として、デフォルト値を選択することができる。デフォルト値とは、例えば、各項目について中間値（図３に示す例では、プラスマイナス「０」）を採用した出力条件のことである。
【００３５】
なお、利用者別に設定可能な出力条件は、上述したものに限られず、他の出力条件についても設定可能としてもよい。また、本実施形態では、ホスト装置１１に利用者別出力条件設定データベース５４が格納されているため、各利用者は、ホスト装置１１にネットワーク接続されたカラオケ演奏端末１０であれば、どのカラオケ演奏端末１０においても、自らの利用者別出力条件データを変更し、あるいは読み出すことができる。
【００３６】
また、利用者別出力条件は、すべての楽曲に対して共通に設定することができるが、この共通設定に加えて、楽曲毎あるいは所定のカテゴリに応じて分類された楽曲のジャンル毎に個別に設定可能としてもよい。図３に示す例では、利用者ａについて、Ｊ−ＰＯＰと、楽曲ＩＤ「＊＊＊＊２５」の楽曲について、共通設定とは別に個別設定がなされている。なお、楽曲のジャンルとは、演歌、Ｊ−ＰＯＰ、アニメソング、応援歌、韓国曲、中国曲、フォークソング等のように、楽曲を特徴付けるカテゴリのことである。
【００３７】
＜利用者別出力条件有効化設定手段＞
利用者別出力条件有効化設定手段３９は、利用者別出力条件設定データベース５４にて管理されている任意の利用者の利用者別出力条件を有効化するか否かを利用者毎に設定するためのプログラムからなる。例えば、任意の利用者が、カラオケリモコン装置２２の入出力インターフェースを用いて、利用者別出力条件設定データベース５４にて管理されている自らの利用者別出力条件について、これを有効化するか否かの設定を行うと、利用者別出力条件有効化設定手段３９の機能により、当該設定に基づき、利用者別有効化フラグ設定テーブル３３ｄを作成する。なお、利用者別有効化フラグ設定テーブル３３ｄは、利用者が当該カラオケ演奏端末１０にログインする毎に作成してもよいし、予めホスト装置１１の記憶領域に格納しておき、これを読み出して使用してもよい。さらに、利用者別出力条件を有効化する否かの初期設定は、予めいずれか一方に設定しておいてもよいし、利用者が最後に設定したものを使用してもよい。
【００３８】
また、利用者別出力条件を有効化するか否かは、共通設定についてだけではなく、楽曲毎及びジャンル毎に設定可能とすることができる。図４に示す例では、利用者ａについて、共通設定及び楽曲ＩＤ「＊＊＊＊２５」の楽曲について有効化フラグがセットされており、Ｊ−ＰＯＰについて有効化フラグがセットされていないため、共通設定及び楽曲ＩＤ「＊＊＊＊２５」の楽曲に関する利用者別出力条件が有効化され、Ｊ−ＰＯＰに関する利用者別出力条件が無効化される。なお、出力条件の設定は、楽曲毎設定、ジャンル毎設定、共通設定の順に優先される。図４に示す例では、利用者ａについて、Ｊ−ＰＯＰに関する利用者別出力条件は無効であるが、共通設定は有効であるため、Ｊ−ＰＯＰについては、共通設定が用いられる。
【００３９】
＜出力条件選択手段＞
出力条件選択手段４０は、任意の利用者が選曲した楽曲が演奏される際に、利用者別出力条件を有効化する設定がなされている場合には、設定された利用者別出力条件を選択し、利用者別出力条件を有効化する設定がなされていない場合には、デフォルトの出力条件を選択するためのプログラムからなる。例えば、図４に示すような利用者別有効化フラグ設定テーブル３３ｄが作成されている場合には、利用者ＩＤ「＊＊＊＊ａ」の利用者ａについて、楽曲ＩＤ「＊＊＊＊２５」の楽曲では当該楽曲について設定された利用者別出力条件を選択し、他の楽曲については共通設定された利用者別出力条件を選択する。なお、Ｊ−ＰＯＰの利用者別出力条件が無効化されているが共通設定は有効化されているため、Ｊ−ＰＯＰについては共通設定が選択される。
【００４０】
＜出力制御手段＞
出力制御手段４３は、出力条件選択手段４０により選択された出力条件に従って、歌唱音声及び演奏音楽を出力させるためのプログラムからなる。すなわち、出力制御手段４３は、バスラインを通して音楽再生制御手段４２に対する出力条件設定信号を送出するとともに、エフェクタ２７に対して直接、出力条件設定信号を送出することにより、当該出力条件に従った歌唱音声及び演奏音楽を出力させる。
【００４１】
＜予約管理手段＞
予約管理手段４１は、利用者により楽曲検索手段２２ａの機能を用いて選曲され、ローカル送受信手段３６を介して受信した楽曲ＩＤを、選曲順に演奏予約待ち行列３３ａとしてＲＡＭ３３に格納し、管理するためのプログラムからなる。
【００４２】
＜音楽再生制御手段＞
音楽再生制御手段４２は、楽曲ＩＤに基づいて楽曲データベース３４ａから抽出された演奏データをデジタル再生するとともにアナログ変換してミキシングアンプ２６に出力するための電子回路である。ミキシングアンプ２６は、マイクロホン２４からエフェクタ２７を介して入力された歌唱者の歌唱音声信号と、音楽再生制御手段４２から送出される演奏音声信号とをミキシングするとともに、アンプ機能により増幅してスピーカ２３より出力させるための装置である。
【００４３】
＜映像再生制御手段＞
映像再生制御手段４４は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させてディスプレイ装置２５に出力するための電子回路である。
【００４４】
＜ディスプレイ装置＞
ディスプレイ装置２５は、カラオケ演奏時の映像、歌詞テロップ等を表示するための装置で、例えば、液晶ディスプレイ等により構成される。
【００４５】
＜カラオケリモコン装置＞
カラオケリモコン装置２２は、ユーザインタフェース機能を備えており、カラオケ本体２１のローカル送受信手段３６に対して有線方式又は無線方式によりデータの送受信を行うようになっている。このカラオケリモコン装置２２は、楽曲検索手段２２ａとして機能するプログラム、楽曲索引データベース２２ｂ、カードリーダ２２ｃとして機能するプログラム及び機器、データの送受信を行うための電子回路及びプログラム、フラッシュメモリ等からなる記憶手段（図示せず）を備えている。
【００４６】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏端末１０で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００４７】
＜カードリーダ＞
カードリーダ２２ｃは、任意の利用者がカラオケ演奏端末１０を利用する際に、当該利用者の利用者ＩＤを取得するための電子回路及びプログラムからなる。本実施形態では、利用者がカラオケ演奏端末１０を利用する際に、利用者が所持するＩＤ媒体２８から利用者ＩＤを取得するようになっている。カードリーダ２２ｃで取得した利用者ＩＤは、ＲＡＭ３３において利用者管理テーブル３３ｂとして記憶され、利用者管理手段３７にて管理される。ＩＤ媒体２８は、例えば非接触型の、ＩＤカード、携帯電話、携帯情報端末等からなり、利用者ＩＤを記憶して、カードリーダ２２ｃとの間でデータの送受信を行うことができるようになっている。
【００４８】
＜利用者別の出力条件の選択＞
図５は、本発明の実施形態に係るカラオケ演奏出力システムにおける出力条件の選択を示すフローチャートである。また、図６は、選曲画面の模式図である。
本発明の実施形態に係るカラオケ演奏出力システムにおいて出力条件を選択するには、図５に示すように、まず初めに、利用者ＩＤを取得して利用者を特定し（Ｓ１）、取得した利用者ＩＤに基づいて、利用者別出力条件設定データベース５４から当該利用者の出力条件設定データを取得する（Ｓ２）。なお、本実施形態では、利用者別出力条件設定データベース５４から取得した利用者別出力条件設定データ３３ｃは、ＲＡＭ３３に記憶される。
【００４９】
続いて、利用者別出力条件設定データ３３ｃについて、設定を有効化するか否かを表す利用者別有効化フラグ設定テーブル３３ｄを作成する（Ｓ３）。本実施形態では、利用者別有効化フラグ設定テーブル３３ｄは、ＲＡＭ３３に記憶される。なお、利用者別有効化フラグ設定テーブル３３ｄを予めホスト装置１１の記憶領域に格納しておき、これを読み出して使用してもよい。
【００５０】
そして、利用者別出力条件設定データ３３ｃを取得した利用者の予約楽曲の演奏か否かを判断する（Ｓ４）。ここで、利用者別出力条件設定データ３３ｃを取得した利用者の予約楽曲の演奏である場合には、利用者別有効化フラグ設定テーブル３３ｄにおいて有効化フラグがセットされているか否かを判断する（Ｓ５）。そして、有効化フラグがセットされている場合には、当該利用者の利用者別出力条件を採用する（Ｓ６）。一方、有効化フラグがセットされていない場合には、デフォルトの出力条件を採用する（Ｓ７）。続いて、採用された出力条件に従い楽曲の演奏を行う（Ｓ８）。
【００５１】
また、楽曲毎及びジャンル毎に出力条件が設定されるとともに、出力条件を有効化するか否かが設定されている場合には、利用者が歌唱する楽曲について、楽曲毎あるいはジャンル毎に出力条件の有効化フラグの判断を行い、当該利用者の利用者別出力条件を採用するか、あるいはデフォルトの出力条件を採用するかを選択する。
【００５２】
例えば、図４に示すような利用者別有効化フラグ設定テーブル３３ｄが設定されており、利用者ＩＤ「＊＊＊＊ａ」の利用者ａが歌唱を行う場合には、楽曲ＩＤ「＊＊＊＊２５」の楽曲では当該楽曲について設定された利用者別出力条件が選択される。そして、他の楽曲については共通設定された利用者別出力条件が選択される。なお、上述したように、Ｊ−ＰＯＰについて利用者別出力条件が無効化されているが共通設定は有効化されているため、Ｊ−ＰＯＰについては共通設定が選択される。利用者ａが選曲を行う場合には、例えば、カラオケリモコン装置２２において、図６に示すような選曲画面が表示される。
【００５３】
また、利用者ＩＤ「＊＊＊＊ｂ」の利用者ｂが歌唱を行う場合には、すべての利用者別出力条件が無効化されているため、デフォルトの出力条件が採用される。また、利用者別出力条件設定データベース５４に設定がない利用者については、デフォルトの出力条件が採用される。デフォルトの出力条件とは、例えば、すべての項目について中間値を採用した出力条件である。
【００５４】
＜他の実施形態＞
本発明のカラオケ演奏出力システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５５】
また、各カラオケ演奏端末１０の構成要素としているが、ホスト装置１１において一括管理することができる手段等（例えば、利用者別出力条件管理手段３８、利用者別出力条件有効化設定手段３９）については、ホスト装置１１の構成要素としてもよい。さらに、ホスト装置１１と複数のカラオケ演奏端末１０とをネットワーク接続し、ホスト装置１１において顧客情報を管理する構成となっているが、カラオケ演奏装置をスタンドアロンで運用し、顧客情報の管理及び利用者別出力条件の設定管理は、各カラオケ演奏装置で行うような構成としてもよい。
【符号の説明】
【００５６】
１０  カラオケ演奏端末
１１  ホスト装置
１２  通信ネットワーク
２１  カラオケ本体
２２  カラオケリモコン装置
２２ａ  楽曲検索手段
２２ｂ  楽曲索引データベース
２２ｃ  カードリーダ
２３  スピーカ
２４  マイクロホン
２５  ディスプレイ装置
２６  ミキシングアンプ
２７  エフェクタ
２８  ＩＤ媒体
３１  中央制御手段
３２  ＲＯＭ
３３  ＲＡＭ
３３ａ  予約待ち行列
３３ｂ  利用者管理テーブル
３３ｃ  利用者別出力条件設定データ
３３ｄ  利用者別有効化フラグ設定テーブル
３４  ＨＤＤ
３４ａ  楽曲データベース
３４ｂ  映像データベース
３５  ネットワーク送受信手段
３６  ローカル送受信手段
３７  利用者管理手段
３８  利用者別出力条件管理手段
３９  利用者別出力条件有効化設定手段
４０  出力条件選択手段
４１  予約管理手段
４２  音楽再生制御手段
４３  出力制御手段
４４  映像再生制御手段
５１  制御手段
５２  データ処理手段
５３  顧客データベース
５４  利用者別出力条件設定データベース
５５  送受信部
【図１】
0005491827.tif 000002
【図２】
0005491827.tif 000003
【図３】
0005491827.tif 000004
【図４】
0005491827.tif 000005
【図５】
0005491827.tif 000006
【図６】
0005491827.tif 000007